(57)【要約】【課題】レイアウト作業の作業効率を上げることができ、かつ顧客の修正要望に対して容易に対応することができる媒体制作支援システム等を提供する。【解決手段】媒体制作支援システム１は、新規作成処理では、第１段階の流し込み処理として、端末３がサーバ２に対してカンバンテンプレート２３に従った商品情報およびレイアウト情報の流し込みを要求し、サーバ２が流し込みを行い（Ｓ１０１）、端末３がレイアウトファイル２５を作成し（Ｓ１０２）、全体レイアウト画面２７を表示する（Ｓ１０３）。次に、第２段階の流し込み処理として、端末３が、ユーザによって作業カンバン６２が指定されると（Ｓ１０４）、サーバ２に対してカテゴリテンプレート２４に従った商品情報およびレイアウト情報の流し込みを要求し、サーバ２が流し込みを行い（Ｓ１０５）、端末３が商品単体ファイル２６を作成し（Ｓ１０６）、商品単体画面２８を表示する（Ｓ１０７）。【選択図】図９
2012043203.tif 000002
【特許請求の範囲】
【請求項１】
印刷媒体に掲載される商品情報を管理するサーバと、前記サーバと接続され、前記印刷媒体のレイアウト処理を行う端末と、から構成される媒体制作支援システムであって、
前記サーバは、
前記商品情報を保持する商品情報データベースと、
前記印刷媒体における掲載位置、掲載商品、及び前記掲載位置と前記掲載商品との関連を含むレイアウト情報を保持するレイアウト情報データベースと、
前記印刷媒体の全体のレイアウトを保持するレイアウトファイルに含まれる商品ごとの識別オブジェクトへの流し込み対象が定義されている第１テンプレートと、
商品ごとに前記商品情報を保持する商品単体ファイルへの流し込み対象が定義されている第２テンプレートと、
前記第１のテンプレートまたは前記第２テンプレートに従って、前記端末に対して前記商品情報および前記レイアウト情報の流し込みを行う流し込み手段と、
を具備し、
前記端末は、
前記サーバに対して前記第１テンプレートに従った前記商品情報および前記レイアウト情報の流し込みを要求し、前記レイアウトファイルを作成する第１作成手段と、
作成された前記レイアウトファイルに基づいて、前記掲載位置ごとに前記識別オブジェクトが配置される全体レイアウト画面を表示する第１表示手段と、
ユーザによって前記識別オブジェクトが指定されると、前記サーバに対して前記第２テンプレートに従った前記商品情報および前記レイアウト情報の流し込みを要求し、前記商品単体ファイルを作成する第２作成手段と、
を具備することを特徴とする媒体制作支援システム。
【請求項２】
前記端末は、
作成された前記商品単体ファイルに基づいて、指定された前記識別オブジェクトに係る商品の前記全体レイアウト画面における掲載領域が識別可能に示される商品単体画面を表示する第２表示手段、
を更に具備することを特徴とする請求項１に記載の媒体制作支援システム。
【請求項３】
前記サーバは、商品のカテゴリごとに異なる複数の前記第２テンプレートを具備し、
前記端末が具備する前記第２作成手段は、ユーザによって前記識別オブジェクトが指定されると、前記第２テンプレートの選択画面を表示し、ユーザによって選択された前記第２テンプレートに従った流し込みを前記サーバに要求するものであることを特徴とする請求項１または請求項２に記載の媒体制作支援システム。
【請求項４】
印刷媒体に掲載される商品情報を保持する商品情報データベースと、前記印刷媒体における掲載位置、掲載商品、及び前記掲載位置と前記掲載商品との関連を含むレイアウト情報を保持するレイアウト情報データベースと、前記印刷媒体の全体のレイアウトを保持するレイアウトファイルに含まれる商品ごとの識別オブジェクトへの流し込み対象が定義されている第１テンプレートと、商品ごとに前記商品情報を保持する商品単体ファイルへの流し込み対象が定義されている第２テンプレートと、を具備するサーバと、前記サーバと接続され、前記印刷媒体のレイアウト処理を行う端末と、から構成される媒体制作支援システムにおける媒体制作支援方法であって、
前記端末が、前記サーバに対して前記第１テンプレートに従った前記商品情報および前記レイアウト情報の流し込みを要求する第１ステップと、
前記サーバが、前記第１ステップにおける要求に応じて、前記第１のテンプレートに従って、前記端末に対して前記商品情報および前記レイアウト情報の流し込みを行う第２ステップと、
前記端末が、前記第２ステップにおける流し込みに基づいて、前記レイアウトファイルを作成する第３ステップと、
前記端末が、作成された前記レイアウトファイルに基づいて、前記掲載位置ごとに前記識別オブジェクトが配置される全体レイアウト画面を表示する第４ステップと、
前記端末が、ユーザによって前記識別オブジェクトが指定されると、前記サーバに対して前記第２テンプレートに従った前記商品情報および前記レイアウト情報の流し込みを要求する第５ステップと、
前記サーバが、前記第５ステップにおける要求に応じて、前記第２のテンプレートに従って、前記端末に対して前記商品情報および前記レイアウト情報の流し込みを行う第６ステップと、
前記端末が、前記第６ステップにおける流し込みに基づいて、前記商品単体ファイルを作成する第７ステップと、
を含むことを特徴とする媒体制作支援方法。
【請求項５】
印刷媒体に掲載される商品情報を管理するサーバと、前記サーバと接続され、前記印刷媒体のレイアウト処理を行う端末と、から構成される媒体制作支援システムを構築するためのコンピュータ読取可能なプログラムであって、
第１のコンピュータを、
前記商品情報を保持する商品情報データベースと、
前記印刷媒体における掲載位置、掲載商品、及び前記掲載位置と前記掲載商品との関連を含むレイアウト情報を保持するレイアウト情報データベースと、
前記印刷媒体の全体のレイアウトを保持するレイアウトファイルに含まれる商品ごとの識別オブジェクトへの流し込み対象が定義されている第１テンプレートと、
商品ごとに前記商品情報を保持する商品単体ファイルへの流し込み対象が定義されている第２テンプレートと、
前記第１のテンプレートまたは前記第２テンプレートに従って、前記端末に対して前記商品情報および前記レイアウト情報の流し込みを行う流し込み手段と、
を具備するサーバとして機能させるためのプログラムであり、かつ、
第２のコンピュータを、
前記サーバに対して前記第１テンプレートに従った前記商品情報および前記レイアウト情報の流し込みを要求し、前記レイアウトファイルを作成する第１作成手段と、
作成された前記レイアウトファイルに基づいて、前記掲載位置ごとに前記識別オブジェクトが配置される全体レイアウト画面を表示する第１表示手段と、
ユーザによって前記識別オブジェクトが指定されると、前記サーバに対して前記第２テンプレートに従った前記商品情報および前記レイアウト情報の流し込みを要求し、前記商品単体ファイルを作成する第２作成手段と、
を具備する端末として機能させるためのプログラム。
【請求項６】
請求項５記載のプログラムを記憶したコンピュータ読取可能な記憶媒体。
【発明の詳細な説明】
【技術分野】
【０００１】
本発明は、チラシなどの印刷媒体の制作を支援する媒体制作支援システム等に関するものである。
【背景技術】
【０００２】
従来から、商品の広告、宣伝のためのチラシや、商品を網羅的に掲載して詳細な説明を付したカタログなどの印刷媒体を効率良く制作するため、様々なコンピュータシステムが開発されている。例えば、印刷媒体に掲載する商品情報を一元管理し、他のソフトウエアと連携して利用できるようにした商品情報管理システム（例えば、本出願人が販売する「Ｐｒｏ−Ｖ」等）が知られている。また、例えば、デジタル化された素材を用いて、印刷媒体のレイアウト作業を行うＤＴＰ（ＤｅｓｋＴｏｐ  Ｐｕｂｌｉｓｈｉｎｇ）ソフトウエア（例えば、アドビシステムズが販売する「Ａｄｏｂｅ  Ｉｎ  Ｄｅｓｉｇｎ」等）が知られている。
【０００３】
特許文献１には、前述の商品情報管理システムとＤＴＰソフトウエアとを連携させて、印刷媒体のページレイアウトの作業効率を向上させるページレイアウトシステムが開示されている。
特許文献１に記載のページレイアウトシステムでは、商品情報管理システムから、ＤＴＰソフトウエアにおけるレイアウトファイルに対して、予め定義された文字組体裁に従って、文字データと画像データを流し込み配置する。特許文献１に記載のページレイアウトシステムは、カタログなど、レイアウトが定型化されているものについて有効である。
【先行技術文献】
【特許文献】
【０００４】
【特許文献１】特開２０００−２９８７５号公報
【発明の概要】
【発明が解決しようとする課題】
【０００５】
しかしながら、チラシなど、レイアウトが定型化されていないものについては、文字組体裁を予め定義することができない。従って、特許文献１に記載のシステムでは、チラシの場合、仮の文字組み体裁に従って、文字データと画像データを流し込むことになる。そうすると、流し込んだ後、ＤＴＰソフトウエアにおける訂正作業が非常に多くなり、逆に、作業が非効率化している場合があった。
【０００６】
特に、チラシの制作作業においては、顧客側からの様々な要望をリアルタイムに反映していく必要がある。例えば、競合他社に対して、商品の品揃えによって差別化を図りたい顧客の場合、新商品を入荷する都度、新商品の情報をチラシに反映して欲しいという要望がある。また、目玉商品によって来客数の増大を図りたい顧客の場合、限られた掲載領域の中で、商品の売れ行きに応じて、商品ごとに掲載する情報を増減したり、各商品の掲載枠の大きさを変更したり、掲載する商品の入替えを行なったりして欲しいという要望がある。
特許文献１に記載のシステムのように、最初に設計作業（文字組体裁の定義などを含む。）をしっかりと行ってから商品情報を流し込む仕組みでは、このような要望に迅速に応えることは出来ない。
【０００７】
本発明は、前述した問題点に鑑みてなされたもので、その目的とすることは、レイアウト作業の作業効率を上げることができ、かつ顧客の修正要望に対して容易に対応することができる媒体制作支援システム等を提供することである。
【課題を解決するための手段】
【０００８】
前述した目的を達成するために第１の発明は、印刷媒体に掲載される商品情報を管理するサーバと、前記サーバと接続され、前記印刷媒体のレイアウト処理を行う端末と、から構成される媒体制作支援システムであって、前記サーバは、前記商品情報を保持する商品情報データベースと、前記印刷媒体における掲載位置、掲載商品、及び前記掲載位置と前記掲載商品との関連を含むレイアウト情報を保持するレイアウト情報データベースと、前記印刷媒体の全体のレイアウトを保持するレイアウトファイルに含まれる商品ごとの識別オブジェクトへの流し込み対象が定義されている第１テンプレートと、商品ごとに前記商品情報を保持する商品単体ファイルへの流し込み対象が定義されている第２テンプレートと、前記第１のテンプレートまたは前記第２テンプレートに従って、前記端末に対して前記商品情報および前記レイアウト情報の流し込みを行う流し込み手段と、を具備し、前記端末は、前記サーバに対して前記第１テンプレートに従った前記商品情報および前記レイアウト情報の流し込みを要求し、前記レイアウトファイルを作成する第１作成手段と、作成された前記レイアウトファイルに基づいて、前記掲載位置ごとに前記識別オブジェクトが配置される全体レイアウト画面を表示する第１表示手段と、ユーザによって前記識別オブジェクトが指定されると、前記サーバに対して前記第２テンプレートに従った前記商品情報および前記レイアウト情報の流し込みを要求し、前記商品単体ファイルを作成する第２作成手段と、を具備することを特徴とする媒体制作支援システムである。
第１の発明における媒体制作支援システムを利用することによって、ユーザは、レイアウト作業の作業効率が上がり、かつ顧客の修正要望に対して容易に対応することができる。
【０００９】
第１の発明における前記端末は、作成された前記商品単体ファイルに基づいて、指定された前記識別オブジェクトに係る商品の前記全体レイアウト画面における掲載領域が識別可能に示される商品単体画面を表示する第２表示手段、を更に具備することが望ましい。
これによって、全体レイアウト画面とは異なる作業場所（＝商品単体画面）を提供することができるので、より一層ユーザの作業効率が上がる。
【００１０】
更に、第１の発明における前記サーバは、商品のカテゴリごとに異なる複数の前記第２テンプレートを具備し、前記端末が具備する前記第２作成手段は、ユーザによって前記識別オブジェクトが指定されると、前記第２テンプレートの選択画面を表示し、ユーザによって選択された前記第２テンプレートに従った流し込みを前記サーバに要求するものであることが望ましい。
これによって、商品のカテゴリごとに適切な商品情報の流し込みを行うことができる。
【００１１】
第２の発明は、印刷媒体に掲載される商品情報を保持する商品情報データベースと、前記印刷媒体における掲載位置、掲載商品、及び前記掲載位置と前記掲載商品との関連を含むレイアウト情報を保持するレイアウト情報データベースと、前記印刷媒体の全体のレイアウトを保持するレイアウトファイルに含まれる商品ごとの識別オブジェクトへの流し込み対象が定義されている第１テンプレートと、商品ごとに前記商品情報を保持する商品単体ファイルへの流し込み対象が定義されている第２テンプレートと、を具備するサーバと、前記サーバと接続され、前記印刷媒体のレイアウト処理を行う端末と、から構成される媒体制作支援システムにおける媒体制作支援方法であって、前記端末が、前記サーバに対して前記第１テンプレートに従った前記商品情報および前記レイアウト情報の流し込みを要求する第１ステップと、前記サーバが、前記第１ステップにおける要求に応じて、前記第１のテンプレートに従って、前記端末に対して前記商品情報および前記レイアウト情報の流し込みを行う第２ステップと、前記端末が、前記第２ステップにおける流し込みに基づいて、前記レイアウトファイルを作成する第３ステップと、前記端末が、作成された前記レイアウトファイルに基づいて、前記掲載位置ごとに前記識別オブジェクトが配置される全体レイアウト画面を表示する第４ステップと、前記端末が、ユーザによって前記識別オブジェクトが指定されると、前記サーバに対して前記第２テンプレートに従った前記商品情報および前記レイアウト情報の流し込みを要求する第５ステップと、前記サーバが、前記第５ステップにおける要求に応じて、前記第２のテンプレートに従って、前記端末に対して前記商品情報および前記レイアウト情報の流し込みを行う第６ステップと、前記端末が、前記第６ステップにおける流し込みに基づいて、前記商品単体ファイルを作成する第７ステップと、を含むことを特徴とする媒体制作支援方法である。
第２の発明によって、ユーザは、レイアウト作業の作業効率が上がり、かつ顧客の修正要望に対して容易に対応することができる。
【００１２】
第３の発明は、印刷媒体に掲載される商品情報を管理するサーバと、前記サーバと接続され、前記印刷媒体のレイアウト処理を行う端末と、から構成される媒体制作支援システムを構築するためのコンピュータ読取可能なプログラムであって、第１のコンピュータを、前記商品情報を保持する商品情報データベースと、前記印刷媒体における掲載位置、掲載商品、及び前記掲載位置と前記掲載商品との関連を含むレイアウト情報を保持するレイアウト情報データベースと、前記印刷媒体の全体のレイアウトを保持するレイアウトファイルに含まれる商品ごとの識別オブジェクトへの流し込み対象が定義されている第１テンプレートと、商品ごとに前記商品情報を保持する商品単体ファイルへの流し込み対象が定義されている第２テンプレートと、前記第１のテンプレートまたは前記第２テンプレートに従って、前記端末に対して前記商品情報および前記レイアウト情報の流し込みを行う流し込み手段と、を具備するサーバとして機能させるためのプログラムであり、かつ、第２のコンピュータを、前記サーバに対して前記第１テンプレートに従った前記商品情報および前記レイアウト情報の流し込みを要求し、前記レイアウトファイルを作成する第１作成手段と、作成された前記レイアウトファイルに基づいて、前記掲載位置ごとに前記識別オブジェクトが配置される全体レイアウト画面を表示する第１表示手段と、ユーザによって前記識別オブジェクトが指定されると、前記サーバに対して前記第２テンプレートに従った前記商品情報および前記レイアウト情報の流し込みを要求し、前記商品単体ファイルを作成する第２作成手段と、を具備する端末として機能させるためのプログラムである。
第３の発明を汎用的なコンピュータにインストールすることによって、第１の発明を構築することができる。
【００１３】
第４の発明は、第３の発明のプログラムを記憶したコンピュータ読取可能な記憶媒体である。
第４の発明によって、第３の発明のプログラムを配布することができる。
【発明の効果】
【００１４】
本発明により、レイアウト作業の作業効率を上げることができ、かつ顧客の修正要望に対して容易に対応することができる媒体制作支援システム等を提供することができる。
【図面の簡単な説明】
【００１５】
【図１】媒体制作支援システム１の概要図
【図２】サーバ２（端末３）を実現するコンピュータのハードウエア構成図
【図３】サーバ２の記憶部１２に記憶される主なデータを示す図
【図４】端末３の記憶部１２に記憶される主なデータを示す図
【図５】商品情報ＤＢ２１の一例を示す図
【図６】レイアウト情報ＤＢ２２の一例を示す図
【図７】カンバンテンプレート２３の一例を示す図
【図８】カテゴリテンプレート２４の一例を示す図
【図９】媒体レイアウトの新規作成処理を示すフローチャート
【図１０】Ｓ１０３における全体レイアウト画面２７ａを示す図
【図１１】Ｓ１０４における全体レイアウト画面２７ａの一部を示す図
【図１２】Ｓ１０７における商品単体画面２８ａを示す図
【図１３】Ｓ１０８における商品単体画面２８ｂを示す図
【図１４】Ｓ１０９における商品単体レイアウト６５の配置を示す図
【図１５】全商品配置後の全体レイアウト画面２７ｂを示す図
【図１６】媒体レイアウトの変更処理を示すフローチャート
【図１７】Ｓ２０２における全体レイアウト画面２７ｃを示す図
【図１８】Ｓ２０３における全体レイアウト画面２７ｄを示す図
【図１９】商品情報の更新チェック画面８１を示す図
【図２０】変更前の商品単体画面２８ｃを示す図
【図２１】変更後の商品単体画面２８ｄを示す図
【図２２】変更終了後の全体レイアウト画面２７ｅを示す図
【発明を実施するための形態】
【００１６】
以下図面に基づいて、本発明の実施形態を詳細に説明する。
最初に、図１から図４を参照しながら、媒体制作支援システム１の構成について説明する。媒体制作支援システム１は、チラシなどの印刷媒体の制作作業を支援するシステムである。
図１は、媒体制作支援システム１の概要図である。図１に示すように、媒体制作支援システム１は、サーバ２と端末３とがネットワーク４を介して接続されて構成される。
【００１７】
サーバ２は、印刷媒体に掲載される商品情報を管理する。サーバ２には、商品情報管理システム５が構築されている。商品情報管理システム５は、商品情報を一元管理し、他のソフトウエアと連携して利用できるシステムである。商品情報管理システム５は、商品情報を記憶するためのデータベース（ＤＢ）サーバ機能、端末３の要求に応答するためのアプリケーション（ＡＰ）サーバ機能、印刷媒体のレイアウトの初期設計を行う為のＤＴＰ（ＤｅｓｋＴｏｐ  Ｐｕｂｌｉｓｈｉｎｇ）関連機能などを有する。
【００１８】
端末３は、印刷媒体のレイアウト処理を行う。端末３には、ＤＴＰソフトウエア６がインストールされている。ＤＴＰソフトウエア６は、印刷媒体のレイアウト処理を行うための各種機能を有する。また、端末３は、サーバ２に対して各種の要求を送信し、応答結果を受信する為のクライアント機能を有する。
【００１９】
図２は、サーバ２（端末３）を実現するコンピュータのハードウエア構成図である。尚、図２のハードウエア構成は一例であり、用途、目的に応じて様々な構成を採ることが可能である。
コンピュータは、制御部１１、記憶部１２、メディア入出力部１３、通信制御部１４、入力部１５、表示部１６、周辺機器Ｉ／Ｆ部１７等が、バス１８を介して接続される。
【００２０】
制御部１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、記憶部１２、ＲＯＭ、記録媒体等に格納されるプログラムをＲＡＭ上のワークメモリ領域に呼び出して実行し、バス１８を介して接続された各装置を駆動制御し、コンピュータが行う後述する処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部１２、ＲＯＭ、記録媒体等からロードしたプログラム、データ等を一時的に保持するとともに、制御部１１が各種処理を行う為に使用するワークエリアを備える。
【００２１】
記憶部１２は、ＨＤＤ（ハードディスクドライブ）であり、制御部１１が実行するプログラム、プログラム実行に必要なデータ、ＯＳ（オペレーティングシステム）等が格納される。プログラムに関しては、ＯＳ（オペレーティングシステム）に相当する制御プログラムや、後述する処理をコンピュータに実行させるためのアプリケーションプログラムが格納されている。
これらの各プログラムコードは、制御部１１により必要に応じて読み出されてＲＡＭに移され、ＣＰＵに読み出されて各種の手段として実行される。
【００２２】
メディア入出力部１３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。
通信制御部１４は、通信制御装置、通信ポート等を有し、コンピュータとネットワーク間の通信を媒介する通信インタフェースであり、ネットワークを介して、他のコンピュータ間との通信制御を行う。ネットワークは、有線、無線を問わない。
【００２３】
入力部１５は、データの入力を行い、例えば、キーボード、マウス等のポインティングデバイス、テンキー等の入力装置を有する。
入力部１５を介して、コンピュータに対して、操作指示、動作指示、データ入力等を行うことができる。
表示部１６は、液晶パネル等のディスプレイ装置、ディスプレイ装置と連携してコンピュータのビデオ機能を実現するための論理回路等（ビデオアダプタ等）を有する。
【００２４】
周辺機器Ｉ／Ｆ（インタフェース）部１７は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
バス１８は、各装置間の制御信号、データ信号等の授受を媒介する経路である。
【００２５】
図３は、サーバ２の記憶部１２に記憶される主なデータを示す図である。尚、サーバ２の記憶部１２には、図３に示すデータの他、プログラムや、プログラムの実行に必要なデータが記憶される。
図３に示すように、サーバ２の記憶部１２には、商品情報データベース（ＤＢ）２１、レイアウト情報データベース（ＤＢ）２２、カンバンテンプレート２３、カテゴリテンプレート２４等が記憶される。
【００２６】
商品情報ＤＢ２１は、商品情報を保持するデータベースである。
レイアウト情報ＤＢ２２は、印刷媒体における掲載位置、掲載商品、及び掲載位置と掲載商品との関連を含むレイアウト情報を保持するデータベースである。
【００２７】
カンバンテンプレート２３には、レイアウトファイルに含まれる商品ごとの識別オブジェクトへの流し込み対象が定義される。
ここで、レイアウトファイルとは、印刷媒体の全体のレイアウトを保持するファイルであり、端末３によって作成されるものである。レイアウトファイルの内容は、全体レイアウト画面（図１０の「全体レイアウト画面２７ａ」等に対応）として、端末３の表示部１６に表示される。
また、識別オブジェクトとは、ユーザがレイアウト作業の対象となる商品を識別し易いように、全体レイアウト画面に表示されるオブジェクトである（図１０の「作業カンバン６２」等に対応）。
【００２８】
カテゴリテンプレート２４には、商品単体ファイルへの流し込み対象が定義される。
ここで、商品単体ファイルとは、商品ごとに商品情報を保持するファイルであり、端末３によって作成されるものである。
【００２９】
図４は、端末３の記憶部１２に記憶される主なデータを示す図である。尚、端末３の記憶部１２には、図４に示すデータの他、プログラムや、プログラムの実行に必要なデータが記憶される。
図４に示すように、端末３の記憶部１２には、レイアウトファイル２５、商品単体ファイル２６等が記憶される。
レイアウトファイル２５は、前述の通り、印刷媒体の全体のレイアウトを保持するファイルである。また、商品単体ファイル２６は、前述の通り、商品ごとに商品情報を保持するファイルである。
【００３０】
次に、図５から図８を参照しながら、媒体制作支援システム１において利用されるデータの詳細について説明する。
図５は、商品情報ＤＢ２１の一例を示す図である。図５では、１列目にデータ項目を示し、２列目に実体データの一例を示している。尚、商品情報ＤＢ２１が保持するデータ項目は、図５に示すデータ項目に限定されない。
図５に示すように、商品情報ＤＢ２１は、例えば、商品ＩＤ３０、商品名３１、型番３２、商品画像３３、通常価格３４、特別価格３５、メーカー名３６、サイズ３７、装飾３８、スペック３９等のデータ項目を有する。
【００３１】
商品ＩＤ３０は、商品を一意に識別する番号であり、テキストデータである。商品名３１は、商品の名称であり、テキストデータである。型番３２は、商品の型番であり、テキストデータである。商品画像３３は、商品の代表的な画像であり、画像データである。通常価格３４は、通常時の販売価格であり、テキストデータである。特別価格３５は、特別販売時の販売価格であり、テキストデータである。メーカー名３６は、商品を製造したメーカーの名称であり、テキストデータである。サイズ３７は、商品の大きさであり、テキストデータである。装飾３８は、印刷媒体を装飾する図形等であり、画像データである。スペック３９は、商品の仕様等であり、テキストデータである。
【００３２】
テキストデータについては、必要に応じて、文字の大きさ、フォント、色などを別途定義しても良い。
画像データについては、必要に応じて、初期表示サイズ（拡大または縮小率）などを別途定義しても良い。また、画像データについては、実画像データを別途保管し、実画像データの保管場所を示すファイルパスのみが商品情報ＤＢ２１に保持されても良い。
【００３３】
装飾３８やスペック３９については、複数のデータが商品情報ＤＢ２１に格納されている。また、装飾３８については、商品ごとではなく、複数の商品に共通するものとして保持されても良い。複数の商品に共通するものとして保持する場合、前述のように、実画像データを別途保管し、実画像データの保管場所を示すファイルパスを商品情報ＤＢ２１に保持すれば良い。
【００３４】
図５に示す実体データの例は、商品ＩＤ３０が「１２３」、商品名３１が「洗濯乾燥機」、型番３２が「ＤＤＤ」、商品画像３３が「・・・／ＡＢＣ．ｊｐｇ」、通常価格３４が「１１９，８００円」、特別価格３５が「９９，８００円」、メーカー名３６が「メーカーＤ」、サイズ３７が「横７３×高さ１０３×奥行６０ｃｍ」、装飾３８が「・・・／ｔｅｎｊｉ＿ｔｏｋｋａ．ｊｐｇ」、スペック３９が「洗濯容量７ｋｇ」である。
【００３５】
尚、装飾３８は画像データであると説明したが、販売促進のための説明文など、文字データであっても良い。同様に、スペック３９は文字データであると説明したが、図形などを組み合わせた画像データであっても良い。
また、図５では、サイズ３７とスペック３９を区別して示したが、サイズ３７はスペック３９の一つとして格納されても良い。
その他、商品情報ＤＢ２１には、商品の特性に応じて、様々なデータ定義をすることできる。
【００３６】
図６は、レイアウト情報ＤＢ２２の一例を示す図である。図６では、１列目にデータ項目を示し、２列目に実体データの一例を示している。尚、レイアウト情報ＤＢ２２に保持されるデータ項目は、図６に示すデータ項目に限定されない。
図６に示すように、レイアウト情報ＤＢ２２は、例えば、媒体名４０、１コマ目のコマ番号４１ａ、１コマ目の掲載位置４２ａ、１コマ目の掲載商品４３ａ、２コマ目のコマ番号４１ｂ、２コマ目の掲載位置４２ｂ、２コマ目の掲載商品４３ｂ、・・・等のデータ項目を有する。
ここで、コマとは、印刷媒体の一部の領域であり、例えば、枠取りされた矩形領域である（図１０の「コマ６１」等に対応）。
コマ番号、掲載位置および掲載商品のデータ項目は、コマ数に応じて繰り返す。以下、これら３種類のデータ項目を総称するときは、コマ番号４１、掲載位置４２、掲載商品４３と表記する。
【００３７】
媒体名４０は、印刷媒体の名称であり、テキストデータである。コマ番号４１は、印刷媒体のコマを識別する番号である。掲載位置４２とは、印刷媒体内におけるコマの位置を示す情報である。図６に示す例では、コマが矩形領域であることを前提とし、掲載位置４２は、矩形領域の左上頂点座標および右下頂点座標である。掲載商品４３は、コマ番号４１のコマに掲載される商品を識別する情報（例えば、図５に示す商品情報ＤＢ２１の商品ＩＤ３０）である。
【００３８】
図６に示す実体データの例は、媒体名４０が「２０１０年９月１日Ａ店チラシ」、１コマ目のコマ番号４１ａが「０１」、１コマ目の掲載位置４２ａが「（１、１）、（１００、５０）」、１コマ目の掲載商品４３ａが「１０１」、２コマ目のコマ番号４１ｂが「０２」、２コマ目の掲載位置４２ｂが「（１０１、１）、（２００、５０）」、２コマ目の掲載商品４３ｂが「１０２」である。
【００３９】
尚、掲載位置４２は、矩形領域の左上頂点座標および右下頂点座標と説明したが、これに代えて、矩形領域の左上頂点座標、矩形の高さおよび矩形の幅であっても良い。
【００４０】
図７は、カンバンテンプレート２３の一例を示す図である。前述の通り、カンバンテンプレート２３には、レイアウトファイルに含まれる商品ごとの識別オブジェクトへの流し込み対象が定義される。尚、カンバンテンプレート２３に定義される流し込み対象は、図７に示すデータ項目に限定されない。
カンバンテンプレート２３は、例えば、コマ番号４５、型番４６、商品名４７等が流し込み対象として定義される。また、カンバンテンプレート２３には、背景色４８、相対表示位置４９等の表示設定情報も定義される。
【００４１】
コマ番号４５は、前述したレイアウト情報ＤＢ２２のコマ番号４１に対応する。型番４６は、前述した商品情報ＤＢ２１の型番３２に対応する。商品名４７は、前述した商品情報ＤＢ２１の商品名３１に対応する。
背景色４８は、識別オブジェクト（図１０に示す作業カンバン６２）の背景色に対応する。カンバンテンプレート２３には、背景色４８として、具体的な色情報が定義される。例えば、背景色４８は、「黄色」を示すＲＧＢ値等である。
相対表示位置４９は、識別オブジェクト（図１０に示す作業カンバン６２）のコマを示す領域（図１０に示すコマ６１）内の表示位置に対応する。カンバンテンプレート２３には、相対表示位置４９として、具体的な位置情報が定義される。例えば、相対表示位置４９は、コマ６１の左上頂点座標を原点（０、０）とした場合、作業カンバン６２の左上頂点座標（１、１）および右下頂点座標（４０、２０）である。
【００４２】
図８は、カテゴリテンプレート２４の一例を示す図である。前述の通り、カテゴリテンプレート２４には、商品単体ファイルへの流し込み対象が定義される。尚、カテゴリテンプレート２４に定義される流し込み対象は、図８に示すデータ項目に限定されない。
カテゴリテンプレート２４は、例えば、商品名５１、型番５２、商品画像５３、通常価格５４、特別価格５５、メーカー名５６、サイズ５７、装飾５８、スペック５９等が流し込み対象として定義される。
商品名５１〜スペック５９等は、それぞれ、前述の商品情報ＤＢ２１の商品名３１〜スペック３９等に対応する。
【００４３】
カテゴリテンプレート２４は、商品のカテゴリごとに異なるものを定義しておくことが望ましい。例えば、「液晶テレビ」と「洗濯機」では、広告宣伝として効果的な装飾３８やスペック３９等が異なる。また、例えば、そもそも、「液晶テレビ」には実体データがあるが、「洗濯機」には実体データがないデータ項目なども存在する。
従って、サーバ２は、商品のカテゴリごとに異なる複数のカテゴリテンプレート２４を保持することが望ましい。
【００４４】
レイアウトファイル２５の詳細は図示していないが、レイアウトファイル２５は、後述する全体レイアウト画面２７（以下、「全体レイアウト画面」を総称するときは、符号「２７」を付す。）に表示されるデータを保持するファイルである。
同様に、商品単体ファイル２６の詳細は図示していないが、商品単体ファイル２６は、後述する商品単体画面２８（以下、「商品単体画面」を総称するときは、符号「２８」を付す。）に表示されるデータを保持するファイルである。
【００４５】
次に、図９から図１５を参照しながら、媒体制作支援システム１における媒体レイアウトの新規作成処理について説明する。
図９は、媒体レイアウトの新規作成処理を示すフローチャートである。
媒体レイアウトの新規作成処理は、ユーザが端末３の入力部１５を介して、例えば、「新規作成」メニューを選択し、レイアウト対象の媒体名（図６のレイアウト情報ＤＢ２２の媒体名４０に対応）を指定することで開始される。
【００４６】
ユーザが端末３の入力部１５を介して新規作成処理の開始を命令すると、端末３の制御部１１は、サーバ２に対して、カンバンテンプレート２３に従った商品情報およびレイアウト情報の流し込みを要求する。これに対して、サーバ２の制御部１１は、端末３の要求に応じて、カンバンテンプレート２３に従って、端末３に対して商品情報およびレイアウト情報の流し込みの流し込みを行う（Ｓ１０１）。Ｓ１０１において流し込みの対象となる商品情報およびレイアウト情報は、識別オブジェクトに表示する商品情報(商品情報ＤＢ２１から抽出)および各コマの掲載位置(レイアウト情報ＤＢ２２から抽出)等である。
【００４７】
ここで、流し込みとは、データベースから複数のデータを纏めて抽出し、他のソフトウエアによって利用できる状態とすることを意味する。本発明の実施の形態では、データベースが商品情報ＤＢ２１およびレイアウト情報ＤＢ２２であり、他のソフトウエアがＤＴＰソフトウエア６である。サーバ２から端末３へのデータの受け渡しは、例えば、ＸＭＬ形式などによって定義されたファイルを受け渡すことで実現する。
【００４８】
端末３の制御部１１は、Ｓ１０１におけるサーバ２による流し込みに基づいて、レイアウトファイル２５を作成する（Ｓ１０２）。
次に、端末３の制御部１１は、作成されたレイアウトファイル２５に基づいて、ＤＴＰソフトウエア６の画面である全体レイアウト画面２７を表示部１６に表示する（Ｓ１０３）。ここで、全体レイアウト画面２７には、掲載位置ごとに識別オブジェクト（図１０の作業カンバン６２に対応）が表示される。
【００４９】
図１０は、Ｓ１０３における全体レイアウト画面２７ａを示す図である。
図１０に示す全体レイアウト画面２７ａは、新規作成処理における初期表示画面である。
全体レイアウト画面２７ａには、１１個のコマ６１、および１２個の作業カンバン６２が表示されている。
【００５０】
コマ６１は、レイアウト情報ＤＢ２２の掲載位置４２に従って配置される。
作業カンバン６２は、カンバンテンプレート２３の相対表示位置４９に従って配置され、背景色４８に従って背景の色が設定される。
各作業カンバン６２には、それぞれ、カンバンテンプレート２３のコマ番号４５、型番４６、商品名４７の実体データが表示される。
本発明の実施の形態では、商品情報が直接レイアウトファイル２５に流し込まれないので、識別性に優れた初期表示となっている。すなわち、ユーザは、作業カンバン６２を確認することで、一見してレイアウト作業の対象（＝掲載商品）を識別することが可能である。
【００５１】
尚、図１０の例では、３段目の左から２つ目のコマ６１の領域に、２つの作業カンバン６２（コマ番号が「０９」および「０９−１」）が表示されている。これは、レイアウト情報ＤＢ２２において、同一の掲載位置４２に複数の掲載商品４３が配置されるように定義されているためである。
端末３の制御部１１は、複数の作業カンバン６２を同一のコマ６１に表示する場合、両者が重ならないように配置する。例えば、端末３の制御部１１は、２つ目の作業カンバン６２を下方向にずらして配置する。
【００５２】
図９の説明に戻る。
ユーザは、全体レイアウト画面２７ａを確認し、端末３の入力部１５を介して作業カンバン６２を選択する（Ｓ１０４）。
端末３の制御部１１は、選択された作業カンバン６２の商品に対して、予め定義されたカテゴリテンプレート２４に従ってＳ１０５以降の処理を実行しても良い。または、端末３の制御部１１は、図１１に示すカテゴリテンプレート選択画面６３を表示し、ユーザにカテゴリテンプレート２４を選択させて、ユーザによって選択されたカテゴリテンプレート２４に従ってＳ１０５の処理を実行しても良い。
以下では、カテゴリテンプレート選択画面６３を表示する場合について説明する。
【００５３】
図１１は、Ｓ１０４における全体レイアウト画面２７ａの一部を示す図である。
図１１に示す例では、コマ番号が「０５」の作業カンバン６２が選択されている。ユーザによって作業カンバン６２が選択されると、端末３の制御部１１は、カテゴリテンプレート選択画面６３を表示部１６に表示する。
【００５４】
カテゴリテンプレート選択画面６３は、カテゴリテンプレート２４を選択するための「リストボックス」、選択結果を確定し、後述処理の実行を命令するための「ＯＫボタン」、カテゴリテンプレート２４の選択処理を終了するための「キャンセルボタン」を含む。前述した通り、カテゴリテンプレート２４は、商品のカテゴリごとに異なるものを定義しておくことが望ましい。
図１１に示す例では、対象の商品は「洗濯乾燥機」なので、ユーザは「リストボックス」において「洗濯機」を選択し、「ＯＫボタン」を押下する。
【００５５】
尚、図１１に示す例では、１つの作業カンバン６２を選択して、１つの商品単体ファイル２６を作成したが、本発明はこれに限定されない。
例えば、本発明の実施の形態における媒体制作支援システム１では、ユーザが複数の作業カンバン６２および１つのカテゴリテンプレート２４を選択すると、端末３は同じカテゴリテンプレート２４に基づいて、複数の商品単体ファイル２６を作成する機能も有する。この機能は、例えば、図１０の例であれば、同じ「液晶テレビ」であるコマ番号が「０１」、「０２」および「０３」に対して利用することが望ましい。同様に、同じ「洗濯乾燥機」であるコマ番号が「０５」、「０６」および「０７」に対して利用することが望ましい。
また、例えば、ユーザが同一のコマ６１に配置された複数の作業カンバン６２および１つのカテゴリテンプレート２４を選択すると、端末３は、複数の作業カンバン６２に係る複数の商品を統合して、１つの商品単体ファイル２６を作成する機能も有する。この機能は、例えば、図１０の例であれば、コマ番号が「０９」と「０９−１」に対して利用することが望ましい。
【００５６】
図９の説明に戻る。
端末３の制御部１１は、サーバ２に対して、予め定義されていたか、またはユーザによって選択されたカテゴリテンプレート２４に従った商品情報およびレイアウト情報の流し込みを要求する。これに対して、サーバ２の制御部１１は、端末３の要求に応じて、カテゴリテンプレート２４に従って、端末３に対して商品情報およびレイアウト情報の流し込みを行う（Ｓ１０５）。Ｓ１０５において流し込みの対象となる商品情報およびレイアウト情報は、選択対象の商品のレイアウトに用いる商品情報（商品情報ＤＢ２１から抽出）および選択対象の商品の掲載位置（レイアウト情報ＤＢ２２から抽出）等である。
【００５７】
端末３の制御部１１は、Ｓ１０５におけるサーバ２による流し込みに基づいて、商品単体ファイル２６を作成する（Ｓ１０６）。
次に、端末３の制御部１１は、作成された商品単体ファイル２６に基づいて、ＤＴＰソフトウエア６の画面である商品単体画面２８を表示部１６に表示する（Ｓ１０７）。ここで、端末３の制御部１１は、商品単体画面２８において、選択対象の商品の全体レイアウト画面２７における掲載領域（図１２の掲載領域６４に対応）を識別可能に表示する。識別可能に表示する例としては、掲載領域の枠を太線によって表示しても良いし、掲載領域を特定色によって表示しても良い。
【００５８】
図１２は、Ｓ１０７における商品単体画面２８ａを示す図である。
商品単体画面２８ａには、サーバ２による流し込み結果が表示される。すなわち、商品単体画面２８ａには、選択対象の商品のレイアウトに用いる商品情報がオブジェクトとして表示され、選択対象の商品の掲載領域６４が識別可能に表示される。
【００５９】
図１２に示す例では、レイアウトに用いるオブジェクトとして、商品名７１、型番７２、通常価格７４、特別価格７５、メーカー名７６、サイズ７７、第１スペック７９ａ、第２スペック７９ｂ等が、テキストボックスオブジェクトとして表示されている。また、商品画像７３、第１装飾７８ａ、第２装飾７８ｂ、第３装飾７８ｃが、画像オブジェクトとして表示されている。
【００６０】
掲載領域６４の内部または周辺には、レイアウトに良く用いられる商品情報のオブジェクトが配置されるようになっている。
例えば、商品名７１、型版７２、メーカー名７６、商品画像７３、通常価格７４などは、チラシなどの広告媒体において良く用いられる。
一方、レイアウトにあまり用いられない商品情報のオブジェクトは、掲載領域６４から離れた位置に配置される。
各オブジェクトの大きさは、仮に定義されたものであり、必ずしも掲載領域６４に適した大きさではない。これは、本発明の課題として前述した通り、チラシなどのようにレイアウトが定型化されておらず、かつ顧客からの変更指示が多いものは、最初の設計作業（サーバ２のＤＴＰ関連機能を利用した設計作業）において定義してもほとんど意味がないからである。
【００６１】
図９の説明に戻る。
ユーザは、商品単体画面２８ａにおいて、入力部１５および表示部１６を介した端末３との対話処理によって、商品単体のレイアウト作業を行う（Ｓ１０８）。
【００６２】
従来のように、商品情報が直接レイアウトファイル２５に流し込まれると、全体レイアウト画面２７には、全ての商品に関する商品情報のオブジェクトが含まれる。そうすると、ユーザが、全体レイアウト画面２７においてレイアウト作業を行う場合、レイアウト対象の商品に関する商品情報のオブジェクトと、それ以外の商品に関する商品情報のオブジェクトとが混在することになり、非常に作業効率が悪い。
また、数多くのオブジェクトが含まれる全体レイアウト画面２７において、オブジェクトの移動、サイズ変更、追加、削除、テキストボックスオブジェクト内の文字の編集などを頻繁に行うと、コンピュータに負荷がかかり、作業効率が落ちる。
このような意味においても、本発明の実施の形態のように、全体レイアウト画面２７とは異なる作業場所（＝商品単体画面２８）を提供することによって、ユーザの作業効率を上げることができる。
【００６３】
更に、商品単体画面２８ａには、掲載領域６４（選択対象の商品の全体レイアウト画面２７における掲載領域）が表示されている為、ユーザは、全体レイアウト画面２７を確認することなく、商品単体画面２８の上でレイアウト作業を行うことができ、より一層作業効率が上がる。
【００６４】
図１３は、Ｓ１０８における商品単体画面２８ｂを示す図である。図１３は、商品単体のレイアウト作業が終了した状態を示している。
図１３では、掲載領域６４内に、商品名７１、型番７２、通常価格７４、メーカー名７６のテキストボックス、および商品画像７３が、体裁良く配置されている。また、レイアウトに用いないオブジェクトについては、掲載領域６４から離れた位置に移動されている。
【００６５】
図９の説明に戻る。
ユーザは、商品単体のレイアウト作業が終了すると、完成した商品単体レイアウトをコピーして全体レイアウト画面２７に貼り付けることで、全体レイアウト画面２７に配置する（Ｓ１０９）。
尚、端末３の制御部１１が、ユーザの指示に従って、完成した商品単体レイアウトを自動的に全体レイアウト画面２７に配置するようにしても良い。
【００６６】
図１４は、Ｓ１０９における商品単体レイアウト６５の配置を示す図である  。
図１４(ａ)は、コピーした商品単体レイアウト６５を仮の位置に貼り付けた状態を示している。図１４（ｂ）は、商品単体レイアウト６５を正確な掲載領域に移動した状態を示している。
図１４（ａ）の状態において、商品単体レイアウト６５に含まれる複数のオブジェクト（テキストボックスや画像等）は、１のオブジェクトグループとしてグループ化されるので、移動等の操作に対して１つのオブジェクトとして扱われる。従って、図１４（ｂ）における商品単体レイアウト６５の移動は容易である。
【００６７】
図９の説明に戻る。
他にレイアウト作業の対象となる商品が存在する場合（Ｓ１１０のＮｏ）、Ｓ１０４〜Ｓ１０９の処理を繰り返す。
一方、レイアウト作業の対象となる商品を全て全体レイアウト画面２７に配置した場合（Ｓ１１０のＹｅｓ）、処理を終了する。
【００６８】
図１５は、全商品配置後の全体レイアウト画面２７ｂを示す図である。
図１５に示す全体レイアウト画面２７ｂは、印刷媒体に含まれる全商品のレイアウト作業が終了し、全商品が配置された状態である。
全体レイアウト画面２７ｂには、１１個のコマ６１の中に、それぞれ１１個の商品が掲載されている。尚、コマ番号が「０９」のコマ６１に配置された商品は、２種類の型番が掲載され、それぞれの販売価格が掲載されている。
【００６９】
以上の通り、媒体制作支援システム１における媒体レイアウトの新規作成処理では、第１段階の流し込み処理として、端末３がサーバ２に対してカンバンテンプレート２３に従った商品情報およびレイアウト情報の流し込みを要求し、サーバ２が流し込みを行い、端末３がレイアウトファイル２５を作成し、全体レイアウト画面２７を表示する。次に、第２段階の流し込み処理として、端末３が、ユーザによって識別オブジェクト（作業カンバン６２）が指定されると、サーバ２に対してカテゴリテンプレート２４に従った商品情報およびレイアウト情報の流し込みを要求し、サーバ２が流し込みを行い、端末３が商品単体ファイル２６を作成し、商品単体画面２８を表示する。
これによって、媒体制作支援システム１を利用することで、ユーザは、レイアウト作業の作業効率を上げることができる。
【００７０】
次に、図１６から図２２を参照しながら、媒体制作支援システム１における媒体レイアウトの変更処理について説明する。
図１６は、媒体レイアウトの変更処理を示すフローチャートである。
媒体レイアウトの変更処理は、ユーザが端末３の入力部１５を介して、例えば、「再流し込み」メニューを選択し、レイアウト対象の媒体名（図６のレイアウト情報ＤＢ２２の媒体名４０に対応）を指定することで開始される。
【００７１】
以下では、図１５に示した全体レイアウト画面２７ｂにおいて、コマ番号が「０３」の商品を削除し、コマ番号が「０２」の商品の掲載枠を広げるとともに、商品画像を変更し、販売価格を「９９，８００円」から「９４，８００円」に変更する場合を例にして、媒体レイアウトの変更処理を説明する。
【００７２】
ユーザが端末３の入力部１５を介して変更処理の開始を命令すると、端末３の制御部１１は、サーバ２に対して、カンバンテンプレート２３に従った商品情報およびレイアウト情報の再流し込みを要求する。これに対して、サーバ２の制御部１１は、端末３の要求に応じて、カンバンテンプレート２３に従って、端末３に対して商品情報およびレイアウト情報の流し込みを行う（Ｓ２０１）。Ｓ２０１において流し込みの対象となる商品情報およびレイアウト情報は、識別オブジェクトに表示する商品情報(商品情報ＤＢ２１から抽出)および各コマの掲載位置(レイアウト情報ＤＢ２２から抽出)等である。
【００７３】
次に、端末３の制御部１１は、Ｓ２０１におけるサーバ２による流し込みに基づいて、レイアウトファイル２５を変更し、全体レイアウト画面２７を表示部１６に表示する（Ｓ２０２）。
端末３の制御部１１は、レイアウトファイル２５の変更内容に従って、全体レイアウト画面２７の表示内容を変更する。具体的な表示内容は、図１７を参照して後述する。
【００７４】
図１７は、Ｓ２０２における全体レイアウト画面２７ｃを示す図である。
端末３の制御部１１は、変更対象の商品については、作業カンバン６２を表示し、かつ商品単体レイアウト６５の枠６６を非表示とするか、枠６６内の背景色を変更対象外の商品と異なる色とするなど、変更対象外の商品と区別できるように表示する。図１７の例では、変更対象の商品は、コマ番号が「０２」の商品であり、作業カンバン（変更対象）６２ａが表示され、商品単体レイアウト６５の枠６６（変更対象外の商品では太線によって図示）が表示されていない。
尚、枠６６を非表示とするよりも、枠６６内の背景色を変更対象外の商品と異なる色とする方が、識別性が高い場合があるが、特許図面では白と黒のみしか使えないという制約があることから、図１７では、枠６６を非表示とする例を示した。
【００７５】
また、端末３の制御部１１は、削除対象の商品については、作業カンバン６２を非表示とし、かつ商品単体レイアウト６５の枠６６を非表示とするか、枠６６内の背景色を変更対象外の商品と異なる色とする。図１７の例では、削除対象の商品は、コマ番号が「０３」の商品であり、作業カンバン６２が表示されず、商品単体レイアウト６５の枠６６も表示されていない。
更に、コマ番号が「０２」の商品は、コマ（変更対象）６１ａにて示されているように、掲載枠が広げられている。
【００７６】
図１６の説明に戻る。
ユーザは、全体レイアウト画面２７ｃを確認し、端末３の入力部１５を介して、変更対象および削除対象の商品単体レイアウト６５を削除する（Ｓ２０３）。尚、商品単体レイアウト６５の削除は、端末３の制御部１１が自動的に行っても良い。
【００７７】
図１８は、Ｓ２０３における全体レイアウト画面２７ｄを示す図である。
図１８では、コマ番号が「０２」および「０３」の商品単体レイアウト６５が削除されている。
変更対象の商品単体レイアウト６５が削除されても、作業カンバン（変更対象）６２ａは残る。従って、仮に作業を中断したとしても、ユーザは変更対象を容易に識別することができる。
【００７８】
図１６の説明に戻る。
ユーザは、全体レイアウト画面２７ｄを確認し、端末３の入力部１５を介して作業カンバン（変更対象）６２ａを選択し、商品単体ファイル２６を呼び出す（Ｓ２０４）。
端末３の制御部１１は、サーバ２に対して、新規作成処理時に選択済のカテゴリテンプレート２４に従った商品情報およびレイアウト情報の流し込みを要求する。これに対して、サーバ２の制御部１１は、端末３の要求に応じて、カテゴリテンプレート２４に従って、端末３に対して商品情報およびレイアウト情報の流し込みを行う。ここで、端末３の制御部１１は、商品情報の更新チェックを行う（Ｓ２０５）。具体的には、端末３の制御部１１は、記憶部１２に保存されている商品単体ファイル２６と、サーバ２からの流し込みによる商品情報とを比較することで、商品情報が更新されたかどうかを確認する。
【００７９】
図１９は、商品情報の更新チェック画面８１を示す図である。
商品情報の更新チェック画面８１は、Ｓ２０５において商品情報が更新されていた場合、端末３の制御部１１が表示部１６に表示する画面である。
商品情報の更新チェック画面８１は、例えば、「商品情報が更新されています。反映しますか？」のメッセージ、更新の反映を命令するための「ＯＫボタン」、更新の反映を拒否するための「キャンセルボタン」等を含む。
ユーザは、更新の反映を命令する為、入力部１５を介して「ＯＫボタン」を押下する。
【００８０】
図１６の説明に戻る。
ユーザが、商品情報の更新チェック画面８１において「ＯＫボタン」を押下すると、端末３の制御部１１は、商品情報の更新を商品単体ファイル２６に反映し、商品単体画面２８を表示する（Ｓ２０６）。
【００８１】
図２０は、変更前の商品単体画面２８ｃを示す図である。また、図２１は、変更後の商品単体画面２８ｄを示す図である。
図２０に示すように、変更前の商品単体画面２８ｃでは、掲載領域６４ａが、図１５の全体レイアウト画面２７ｂにおけるコマ番号が「０２」のコマ６１と同等の大きさとなっている。また、商品画像（変更前）７３ａの大きさも、掲載領域６４ａに適した大きさとなっている。また、通常価格（変更前）７４ａは、「９９，８００円」となっている。
一方、図２１に示すように、変更後の商品単体画面２８ｄでは、掲載領域６４ｂが、図１７の全体レイアウト画面２７ｃにおけるコマ（変更対象）６１ａと同等の大きさとなっている。また、商品画像（変更後）７３ｂは、商品画像（変更前）７３ａよりも大きくなっている。また、通常価格（変更後）７４ｂは、「９４，８００円」となっている。
【００８２】
図１６の説明に戻る。
ユーザは、商品単体画面２８ｄにおいて、入力部１５および表示部１６を介した端末３との対話処理によって、商品単体のレイアウト作業を行う（Ｓ２０７）。
次に、ユーザは、商品単体のレイアウト作業が終了すると、完成した商品単体レイアウトをコピーして全体レイアウト画面２７に貼り付けることで、全体レイアウト画面２７に配置する（Ｓ２０８）。
他に変更対象となる商品が存在する場合（Ｓ２０９のＮｏ）、Ｓ２０３〜Ｓ２０８の処理を繰り返す。
一方、全ての変更が終了した場合（Ｓ２０９のＹｅｓ）、処理を終了する。
【００８３】
図２２は、変更終了後の全体レイアウト画面２７ｅを示す図である。
図２２に示す全体レイアウト画面２７ｅは、変更が終了し、変更後の商品単体レイアウトが配置された状態である。
全体レイアウト画面２７ｅには、１０個のコマ６１の中に、それぞれ１０個の商品が掲載されている。コマ番号が「０３」の商品は削除され、コマ番号が「０２」の商品は、掲載枠が広げられ、商品画像が変更され、販売価格が「９９，８００円」から「９４，８００円」に変更されている。
コマ番号が「０２」の商品は、掲載枠が広がり、様々な商品情報も掲載され、訴求力があり、購買意欲を向上させるレイアウトとなっている。
【００８４】
以上の通り、媒体制作支援システム１における媒体レイアウトの変更処理では、第１段階の流し込み処理として、端末３がサーバ２に対してカンバンテンプレート２３に従った商品情報およびレイアウト情報の流し込みを要求し、サーバ２が流し込みを行い、端末３がレイアウトファイル２５を変更し、全体レイアウト画面２７を表示する。次に、第２段階の流し込み処理として、ユーザによって変更対象の識別オブジェクト（作業カンバン６２）が指定されると、端末３が、サーバ２に対してカテゴリテンプレート２４に従った商品情報およびレイアウト情報の流し込みを要求し、サーバ２が流し込みを行い、端末３が商品単体ファイル２６を変更し、商品単体画面２８を表示する。
これによって、媒体制作支援システム１を利用することで、ユーザは、顧客の修正要望に対して容易に対応することができる。すなわち、ユーザは、全体レイアウト画面２７において変更対象の商品を容易に識別することができ、かつ商品単体画面２８において変更対象の商品のみを変更することができる。
【００８５】
従来の流し込み処理では、商品情報を直接レイアウトファイル２５に流し込むことしかできなかった。従って、変更処理では、再流し込みを行い、修正のある商品に対してレイアウト作業を再度行うか、または再流し込みを行わずに手作業によって商品情報の変更を行うしかなかった。しかし、再流し込みを行わずに手作業によって商品情報の変更を行うことは、誤った情報（例えば、販売価格の誤りなど）が掲載されてしまう恐れがあり、このような運用を行うことはほとんどない。そうすると、再流し込みを行い、修正のある商品に対してレイアウト作業を再度行うしかないが、当然ながら、時間と労力がかかる作業となる。
このような意味においても、本発明の実施の形態のように、全体レイアウトと商品単体の情報とを２段階に分けて流し込みを行うことによって、顧客の修正要望に対して容易に対応することができる。
【００８６】
以上、添付図面を参照しながら、本発明に係る媒体制作支援システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００８７】
１………媒体制作支援システム
２………サーバ
３………端末
４………ネットワーク
５………商品情報管理システム
６………ＤＴＰソフトウエア
２１………商品情報ＤＢ
２２………レイアウト情報ＤＢ
２３………カンバンテンプレート
２４………カテゴリテンプレート
２５………レイアウトファイル
２６………商品単体ファイル
２７………全体レイアウト画面
２８………商品単体画面
【図１】
2012043203.tif 000003
【図２】
2012043203.tif 000004
【図３】
2012043203.tif 000005
【図４】
2012043203.tif 000006
【図５】
2012043203.tif 000007
【図６】
2012043203.tif 000008
【図７】
2012043203.tif 000009
【図８】
2012043203.tif 000010
【図９】
2012043203.tif 000011
【図１０】
2012043203.tif 000012
【図１１】
2012043203.tif 000013
【図１２】
2012043203.tif 000014
【図１３】
2012043203.tif 000015
【図１４】
2012043203.tif 000016
【図１５】
2012043203.tif 000017
【図１６】
2012043203.tif 000018
【図１７】
2012043203.tif 000019
【図１８】
2012043203.tif 000020
【図１９】
2012043203.tif 000021
【図２０】
2012043203.tif 000022
【図２１】
2012043203.tif 000023
【図２２】
2012043203.tif 000024